(57)【要約】【課題】  大切なアルバムと、ビデオ又はＤＶＤを、或いはビデオとＤＶＤの両者を、簡単で確実に、誰にでも収納可能としたアルバム等とその収納ボックスを提供すること。【解決手段】  アルバムの表紙の裏面又は裏紙の表面の一部に凹部を形成し、この底部位に面ファスナーを取り付け、写真を挿入する別体のフレームに透明材を付設し、他方の枠端面に面ファスナーの面が露出するように付設し、表紙と背表紙と裏紙とを皮革製にした、また、裏表紙に背表紙の厚さの枠状の収納部を付設し、その内壁部にアルバムＡが収めれるように保護部材を付設し、ビデオとＤＶＤケースＢ、Ｃが収めらるようにした。【選択図】  図５
2005178343.tif 000002
【特許請求の範囲】
【請求項１】
アルバムの表紙の裏面又はアルバムの裏紙の表面の一部を所望のサイズで所望の形状の凹部を形成し、この凹部の一部の底部位に面ファスナーを取り付け、この凹部に挿入させることができて、かつ所望のサイズと所望の形状の写真を挿入する別体で所望の形状のフレームの一方の枠端面に透明材を付設し、他方の枠端面の一部に上記底部位の面ファスナーと着合する面ファスナーの面が露出するように付設したことを特徴とするアルバム。
【請求項２】
上記枠端面の一部の面ファスナーに代えて、この枠端面の一部にピンで回動する細長の止め具を付設し、この止め具の表面に面ファスナーの面が露出するように付設したことを特徴とする請求項１に記載のアルバム。
【請求項３】
上記フレームと透明材とを透明な樹脂で一体成型させたことを特徴とする請求項１又は請求項２に記載のアルバム。
【請求項４】
上記フレームには、写真を押さえる所望の形状の台紙を嵌め込むと共に、このフレームの一端面に切り欠き又は摘み片を設けたことを特徴とする請求項１乃至請求項３のいずれか１項に記載のアルバム。
【請求項５】
アルバムの表紙と背表紙と裏紙とを皮革製にしたことを特徴とする請求項１乃至請求項４のいずれか１項に記載のアルバム。
【請求項６】
アルバムの既存の表紙と背表紙と裏紙とを芯材として、この芯材の表紙と背表紙と裏紙に皮革製のカバーを被覆したことを特徴とする請求項１乃至請求項４のいずれか１項に記載のアルバム。
【請求項７】
台紙の所望数を宿泊施設等のＰＲ用カタログ部と、台紙の所望数をスタンプラリー等のイベント部としたことを特徴とする請求項１乃至請求項６のいずれか１項に記載のアルバム。
【請求項８】
１枚の表紙に２本の折り目が刻切され、それにより表表紙と背表紙と裏表紙とが構成され、この裏表紙に背表紙を厚さとする所望の高さの枠状の収納部を付設し、その枠状の内壁部に所望数のアルバムが収めれるように段付の保護部材を付設し、さらに、その段付の保護部材の一方の段の上面から裏表紙の表面に達し、所望数のビデオケースが収納できるような切り欠き部と、さらに、この保護部材の他方の段の上面から所望深さの切り欠き部で所望数のＤＶＤケースＣが収めらるようにしたことを特徴とした収納ボックス。
【請求項９】
上記枠状の収納部の保護部材に所望数のビデオケースと所望数のＤＶＤケースとを収納する切り欠き部を複数個形成したことを特徴とした請求項８に記載の収納ボックス。
【請求項１０】
上記枠状の収納部と段付の保護部材との両者を発泡樹脂又は合成樹脂で一体成型したことを特徴とした請求項８又は請求項９に記載の収納ボックス。
【請求項１１】
上記枠状の収納部と段付の保護部材とを別々に紙製、段ボール製、合成樹脂製又は発泡樹脂製で構成したことを特徴とした請求項８又は請求項９に記載の収納ボックス。
【請求項１２】
上記表表紙と背表紙と裏表紙と収納部と段付の保護部材とのそれぞれの表面のすべてを、皮革製で作られたことを特徴とした請求項８乃至請求項１１のいずれか１項に記載の収納ボックス。
【発明の詳細な説明】
【技術分野】
【０００１】  本発明は、旅行に関する思い出とその時の人生のヒトコマとメモリとを保存し記録するアルバムとその収納ボックスに関する。
【背景技術】
【０００２】  ２０世紀は、戦争と技術革新による産業の時代だと言われている。日本が戦争に敗れ、戦後のどん底の貧しさから、ただひたすらに食料や衣類や住宅などのモノを懸命に追いもとめ、今や世界第２位の経済大国にまでのぼりつめた。昨今、日本にはモノが有り余り、何の不自由もなく、戦争直後の人々にとっては、まさに夢のような現実となった。しかし、この現状に誰もが満足しているわけではない。それは、幼少から“競争”することを教えられ、社会に出ても昇進という“競争”で、人生の貴重な時間を浪費し、身を粉にして家族や自分のために働き、心が豊かではなくなってしまったからではないかと思う。【０００３】  ２１世紀に何を求めるかという質問に、「心の豊かさ」と答える人が多いと聞く。誰もが心を豊かに暮らして行くために何が大切なのかと考えると、多くの人に賛同して頂く答えとして「旅行」があげられる。広大な海、波の音、青い空、太陽の光、山や川、川のせせらぎ、これらに包まれ感じた時、人は心が豊になる。人生を振り返った時、多くの人は、楽しい思い出として友人や家族と旅行したことなどを思い出すであろう。旅行とは、いわば人生における楽しい出来事を凝縮したイベントである。そこで、心の豊かさを求めて旅をする人々に対して、そのすばらしき思い出にもっと付加価値をつけ、楽しかった旅の思い出をリアルに残しえるようにしたアルバム等のグッズとその収納ボックスとを提供することである。【０００４】  そして、従来この種のアルバムとして、使いやすさや、写実性や、データを付加したもの、体裁を追及したもの等、種々提案がなされている。
【特許文献１】特開２００３−９４８５７号公報や
【特許文献２】特開２００３−９４８５６号公報や、また、
【特許文献３】特開２００２−３６２０６１号公報や、さらに、
【特許文献４】実開平６−４６９６１号公報や
【特許文献５】実用新案登録第３０６９２６４号公報や
【特許文献６】実開昭４８−１３１１８号公報や
【特許文献７】実開昭４８−５８２６号公報や
【特許文献８】実開昭５３−７８１２８号公報がある、さらには、
【特許文献９】実開昭４８−７１９２３号公報や
【特許文献１０】実開昭４９−６４０２２号公報や
【特許文献１１】実開昭４８−６１１６号公報等がある。特許文献１のように、写真配置用の窓部を打ち抜いた化粧台紙を継綴し、化粧台紙間に両面に貼着シートを備えた支持台紙を貼着すると共に窓部に露呈する貼着面を剥離紙で覆ってアルバム台紙を作成し、これに表紙を付けてアルバム帳とし、写真をアルバム帳の前記剥離紙を剥がして写真を窓部に嵌め込んで写真アルバムを製造したものである。また、特許文献２のように、アルバム写真のデジタルデータを記録したデジタル記録体を設けると共に、個人顔写真と団体集合写真との内の少なくとも一方の写真と、その写真に写った人の名前とを対応させて印刷した冊子を設けたものである。また、特許文献３のように、故人の生前の写真の他に、故人の生前の手紙や日記、故人の愛用品、故人の収集品、故人の趣味的な作品、故人の生前の肉声が録音されたテープ等の品物類を可能な限り多く集め、この中から故人の人生の歩みを幅広く偲ばせるものに相応した代表的なう品物を選んで写真とともに一冊のアルバムに収めたものである。さらに、特許文献４乃至特許文献７のように、カセットテープ、ＶＨＳテープ、８ミリテープのいずれにも対応できるものとし、固定器具でアルバム開閉時に動かないようにし、バインダーにファイル不可能なものを入れるスペース等を設け、多くの種類の記念、記録を収納できるようにしたり、写真アルバムはコンパクトディスクを収めることのできるポケットを備えた１枚を含むようにしたり、カセットテープの収納用筐体を取り付けたアルバムや、磁気録音テープの収納部を取り付けたアルバムや、特許文献８のように、カセットテープ及びネガフィルム等を収納する箱体に写真支持シートを取り付けたものである、さらには、特許文献９のように、左葉表紙と右葉紙のそれぞれ裏側に左右葉台紙を設け、この各々の台紙に写真及び記念書類を収納することが出来る袋状の透明な被膜を設けた記念写真帳であり、特許文献１０のように、文字又は寿・鶴等のマーク及び紅白等の紐を設けた両開き表紙を開くと、表紙の裏面に誓詞の印刷面、その他の印刷を設け、両開きの第２表面に松等の絵及び寿証書等の内容表示を印刷し、この２頁を開くとその裏面に各々の披露宴列席者名簿及び新婚旅行コース等の日程、所在図等の記録欄を設け、両開きの第３表面に竹等の絵を印刷し、新郎・新婦の家系図等の記入図を印刷し、両開きの第４表面に梅等の絵及び結婚記念日名等を印刷し、その裏面に鶴・亀等の行事に因んだ絵を印刷し、現れた第５表面に富士の等の絵と共に出席者のサインとし、さらに第５頁の裏面に新郎・新婦の写真及び出席者の写真等の貼り付け欄を設け、最後の裏表紙の裏面に結婚証明書等の全ての記載事項を表示するようにした記念アルバムであり、特許文献１１のように、内面の上下または左右に止縁を設け、これに透明板を挿入せる飾扉枠をアルバム収納庫の口部に蝶番その他の機構により開閉自在に装着したものである。しかし、これら特許文献１乃至特許文献１１のものでは、いずれも心の豊かさを求めて旅する人々に対して、そのすばらしき思い出に、もっと付加価値をつけ、楽しかった旅の思い出をリアルに残しえるようにしたり、簡単に写真を挿入したり取り替えたりできるアルバムではないし、思い出を記録したり録画等をしたビデオ又はＤＶＤ或いはビデオとＤＶＤの両者や、その旅行雑誌等を、簡単に、確実に、誰にでも収納可能としたものもないので、これらの問題点を解決したアルバム等と、その収納ボックスとを提供することである。
【発明の開示】
【発明が解決しようとする課題】
【０００５】  第１乃至第７に、解決しようとする問題点は、心の豊かさを求めて旅する人々に対して、そのすばらしき思い出に、もっと付加価値をつけ、楽しかった旅の思い出をリアルに残しえるようにしたり、或いは、この中から故人の人生の歩みを幅広く偲ばせるものに相応した代表的な品物を選んで写真とともに一冊のアルバムに収めたり、簡単に写真を挿入したり取り替えたりできたり、さらに、高級感を演出させたアルバムを提供すること。【０００６】  第８乃至第１２に、解決しようとする問題点は、その旅行における思い出を一括に保存できる大切なアルバムと、同時に時代や経済事情等で変化しても、思い出を録画したり記録等をしたビデオ又はＤＶＤを収納したケース、或いはビデオとＤＶＤを収納したケースの両者を、或いは旅行雑誌等をも、簡単に、確実に、誰にでも収納可能としたり、さらに、高級感を演出させたアルバム等の収納ボックスを提供すること。
【課題を解決するための手段】
【０００７】  第１乃至第７に、アルバムの表紙の裏面又はアルバムの裏紙の表面の一部を所望のサイズで所望の形状の凹部を形成し、この凹部の一部の底部位に面ファスナーを取り付け、この凹部に挿入させることができて、かつ所望のサイズと所望の形状の写真を挿入する別体で所望の形状のフレームの一方の枠端面に透明材を付設し、他方の枠端面の一部に上記凹部の底部位の面ファスナーと着合する面ファスナーを面が露出するように付設したり、また、上記枠端面の一部の面ファスナーに代えて、この枠端面の一部にピンで回動する止め具を付設し、この止め具の表面に面ファスナーの面が露出するように付設したり、さらに、上記フレームと透明材とを透明な樹脂で一体成型させたりする。また、上記所望のサイズの凹部に写真を押さえるフレームと同形状の所望の形の台紙を形成し、この台紙の一端面に切り欠きや摘み片を設けてもよい、さらに、アルバムの表紙と背表紙と裏紙とを皮革製にしたり、アルバムの既存の表紙と背表紙と裏紙とを芯材として、これらに皮革製のカバーを被覆してもよい。さらには、台紙の所望数に宿泊施設等のＰＲ用カタログ部と台紙の所望数にスタンプラリー等のイベント部としたことを特徴とするアルバムである。【０００８】  第８乃至第１２に、１枚の表紙に２本の折り目が刻切され、それにより表表紙と背表紙と裏表紙とが構成され、この裏表紙に背表紙を厚さとする所望の高さの枠状の収納部を付設し、その枠状の内壁部に所望数のアルバムが収めれるように段付の保護部材を付設し、さらに、その段付の保護部材の一方の段の上面から裏表紙の表面に達し、所望数のビデオケースＢが収納できるような切り欠き部と、この保護部材の他方の段の上面から所望深さの切り欠き部で所望数のＤＶＤケースＣが収めらるようにした収納ボックスである。また、上記枠状の収納部に所望数のビデオケースと所望数のＤＶＤケースとを収納する切り欠き部を複数個形成してもよい。また、上記枠状の収納部と保護部材とを発泡樹脂又は合成樹脂で一体成型したり、枠状の収納部と保護部材とのそれぞれを紙製、段ボール製、合成樹脂製等で搆成してもよい。さらには、上記表表紙と背表紙と裏表紙と収納部と段付の保護部材とのそれぞれの表面のすべてを、皮革製で作られた収納ボックスである。
【発明の効果】
【０００９】  第１乃至第７に、心の豊かさを求めて旅する人々に対して、そのすばらしき思い出に、もっと付加価値をつけ、楽しかった旅の思い出をリアルに残しえるように、旅先の宿泊施設等のＰＲカタログを綴じ、イベント用紙、また宿泊記念写真等を簡単に挿入したり取り替えたりできるアルバムである。これにより、宿泊先での楽しい思い出が１冊のアルバムに凝縮され、アルバムを開けば、その時の思い出がリアルに蘇えり、心を豊にしてくれる。さらに、高級感を演出するために皮革製にすることで、世界にたった一つだけの、その人にとって何よりも大切なオリジナルアルバムとなるのである。【００１０】  第８乃至第１２に、ある旅行に関する旅行雑誌や、その写真を収めたアルバムと、思い出を記録しなビデオテープ、もしくは時代や経済事情等で変化するであろう、ＤＶＤを収納したケース、或いはビデオテープとＤＶＤを収納したケースの両者を、簡単に、確実に、誰にでも収納可能とした。これはある旅行に関する媒体を一つの収納ボックスに収めることで、その旅行における思い出を一括に保存できるため、蓋を開ければ思い出がリアルに蘇えり、心を豊かににしてくれて、これにより生きる希望や喜びが与えられ、今後の人生ににおいて、大きな役割を果たしてくれる。さらに、高級感を演出するために収納ボックス全体を皮革製にすることで、かけがえのない大切な思い出のアルバム等の収納ボックスである。
【発明を実施するための最良の形態】
【００１１】  図１は、本発明の１実施例を表わしたアルバムの全体図であり、厚紙、合成樹脂、合成革、皮、布、金糸等の織布等の適宜材質による表装紙１で、好ましくは鹿、牛、蛇、鰐等の皮革製である、その背表紙に適宜枚数の宿泊施設等のＰＲ用カタログを印刷した表紙２、或いは印刷物を内包したフイルム等の袋状紙２、２…を添着し、その宿泊施設等のイベント等のスタンプラリー、旅行先の名所や祭り等の案内や写真を内包したフイルム等の袋状紙３、３…を添着し、この袋状紙３はクリヤーブックポケットでもよい。次ぎにお客様の記念写真を差し込み内包できるお客様記念写真等の写真入れをアルバムの表紙１の裏面４ａ又はアルバムの裏紙４の表面４ｂの一部を所望のサイズで所望の形状の凹部５を形成し、後述するように、図２乃至図４に示すような方法で着合（面ファスナーどうしがくっき合ことを着合という。）するものである。また、図示していないが、アルバムの既存の表紙と背表紙と裏紙とを芯材として、この芯材の表紙と背表紙と裏紙に皮革製のカバーを被覆してもよい。そして、図３に示すように、アルバムの表表紙の裏面又は裏表紙の表面の凹部に写真を挿入し、台紙の所望数を宿泊施設等のＰＲ用カタログ部と台紙の所望数をスタンプラリー等のイベント部とするとよい。なお、図示していないが、宿泊施設等のディナーやメニュー等をクリヤーブックポケットを増やして入れるようにしてもよい。【００１２】  また、図２に示すように、アルバムの表装紙１に折り目を刻切して、アルバムの表紙と背表紙と裏紙とを形成し、そのアルバムの表紙の裏面４ａ又はアルバムの裏紙の表面４ｂの一部を所望のサイズで所望の形状の凹部５を形成し、この凹部５の一部の底部位にマジックテープ（登録商標）（或いはマジックファスナーとかベルベットファスナーとかファスナーテープと言われている）（以下、本明細書では、面ファスナーという。）６を取り付け、この凹部に挿入させることができて、かつ所望のサイズと形状の写真７を挿入する別体で所望の形状のフレーム８の一方の枠端面９にアクリル板等の透明材１０を付設し、図２に示すように、凹部の面ファスナー６と着合するように他方の枠端面１１の一部に面ファスナー１２の面が露出するように付設した。また、この枠端面の一部の面ファスナーに代えて、図４（Ａ）に示すように、フレーム８の四隅部位に面ファスナー１２の裏面がフレーム８の四隅から透明材１０に重なるような大きさとし、その面ファスナー１２の面が露出するように固定し、この面ファスナー１２の裏面と透明材１０の空間に写真又は写真押さえ台紙１３の四隅を差し込んで写真をフレーム８に固定できる。図示したものは四方形であるが多角形や円や楕円形等の枠状の収納部であってもよく、円や楕円形の写真を収納できようにしてもよい。この固定面ファスナー１２に代えて、図４（Ｂ）に示すように、このフレーム端面の一部にピン１４で回動する四角形、細長等の回転止め具１５を付設し、この回転止め具１５の表面に面ファスナーの面が露出するように回転式面ファスナーを付設してもよい。または、図４（Ｃ）に示すように、フレーム８の枠端面１１のみに、面ファスナーを接着剤で取り付けた枠接着式面ファスナー１６とし、四隅に��真保持コーナ１８を取り付けてもよい。さらに、このフレーム８とアクリル板等の透明材１０とを透明な種々な樹脂で一体成型させてもよい。さらには、この所望のサイズの凹部に写真を押さえる所望の形状の台紙１３を形成した。また、フレーム８の一端面に切り欠き１７や図示していないが摘み片を設けるとフレーム８を簡単に凹部５から外せるので写真の交換や挿入が簡単に、確実に、誰にでもできる。そして、このアルバムの使いかたとして、図３に示すように、アルバムの表表紙の裏面又は裏表紙の表面の凹部に矢印で示す順序で写真７を台紙１３と共にフレーム８に挿入し、フレーム８の切り欠き１７や摘み片を利用して凹部５内に押し込むと凹部とフレームに施した面ファスナーで両者が保持されて着合する。面ファスナーの着合なので、外すのも簡単に上述の逆の順序で誰にでも簡単にできる。【００１３】  さらに、上述のアルバムや旅の思い出を収めたビデオ又はＤＶＤ、或いはビデオとＤＶＤの両者を、収納可能としたのである。図５は、本発明の収納ボックスに関する。詳述すると、１枚の表紙２０に２本の折り目２１、２２が刻切され、それにより表表紙２３と背表紙２４と裏表紙２５とが搆成され、この裏表紙２５に背表紙２４を厚さとする所望の高さの枠状で所望寸法のアルバムＡが収まる納部２６の枠状の下端面を糊や接着剤等で裏表紙２５に取り付け、その枠状の収納部２６の内壁部に所望数のアルバムＡやその旅行雑誌等が収めれるように段付２７となる枠状の保護部材２８を収納部２６の相対する内壁部に添設するか、又は保護部材２８の枠状の下端面を糊や接着剤等で裏表紙２５に取り付け、さらに、枠状の保護部材２８の一方の段２９の上面から裏表紙の表面に達し、所望数のビデオケースを嵌め込むように収納できるような切り欠き部３０とした。この場合、保護部材の枠状の内寸法がビデオケースと同じなら切り欠き部は不要となる。さらに、この保護部材２８の他方の段３１の上面から相対する壁に所望深さの切り欠き部３２で所望数のＤＶＤケースＣが嵌め込むように収納した。この収納部２６に付設した保護部材２８は、大切な思い出のあるアルバムＡ、Ａ…を収めると同時にそれに関連しなビデオケースＢ、Ｂ…をも一緒に収め、さらに、時代や経済事情等でＤＶＤが主流になるのも近いので、ビデオに代えＤＶＤを所持するようになっても、そのＤＶＤケースをも収納可能とした収納部であるが、これらの各ケースを別々に収納可能にするために、この枠状の保護部材に所望数のビデオケースと所望数のＤＶＤケースとを収納する切り欠き部を複数個形成してもよい。そして、この枠状の収納部２６と保護部材２８とは発泡樹脂又は合成樹脂で一体成型したり、収納部と保護部材とを紙や段ボール、合成樹脂等で構成してもよい。まな、この表表紙と背表紙と裏表紙と収納部と段付の保護部材とのそれぞれの表面のすべてを、種々な皮革で製作してもよい。また、表表紙２３の端部３３に皮革等の舌片３４の裏面に止め金具とそれと係合する止め金具（例えば、雄ボタン）と、これに係合するように雌ボタン３５を収納部２６の側面に付設したものである。またさらに、図示していないが、この舌片３４と収納部２６の側面とが施錠できるようにしてもよい。このように、大切な思い出のあるアルバムＡ、Ａ…を収めると同時にそれに関連したビデオケースＢ、Ｂ…をも一緒に収め、さらに、時代や経済事情等でＤＶＤが主流になるのも近いので、ビデオに代えＤＶＤを所持するようになっても、そのＤＶＤケースをも収納可能とした。そして、収納ボックスを高級感を演出するために皮革製にすることで、かけがえのない大切な思い出のアルバムやビデオケースやさらにはＤＶＤケースをも収納可能としたのである。
【産業上の利用可能性】
【００１４】  アルバムの表紙１の裏面又はアルバムの裏紙の表面の一部を所望のサイズで所望の形状の凹部５を形成し、この凹部の一部の底部位に面ファスナー６を取り付け、この凹部に挿入させることができて、かつ所望のサイズと所望の形状の写真７を挿入する別体で所望の形状のフレーム８の一方の枠端面９に透明材１０を付設し、他方の枠端面１１の一部に上記底部位の面ファスナー６と着合する面ファスナー１２の面が露出するように付設したアルバムであり、この枠端面１１の一部の面ファスナー１２に代えて、この枠端面の一部にピンで回動する回転止め具を付設し、この回転止め具の表面に面ファスナーの面が露出するようにしてもよく、フレーム８の枠端面１１のみに、面ファスナーを接着剤で取り付けてもよい。又はこのフレーム８と透明材１０とを透明な樹脂で一体成型させたり、上記所望のサイズの凹部に写真を押さえる所望の形状の台紙を形成したり、また、フレーム８の一端面に切り欠き１７や摘み片を設けてもよく、かつ、アルバムの表紙と背表紙と裏紙とを皮革製にしたり、又はアルバムの既存の表紙と背表紙と裏紙とを芯材として、この芯材の表紙と、背表紙と裏紙に皮革製のカバーを被覆したりできるのである。また、収納部２６にアルバム或いは旅行雑誌等Ａ、Ａ…が収めれるように段２７付の保護部材２８を添設（両者は一体でもよい）し、さらに所望数のビデオケースＢ、Ｂ…が嵌め込んで収納できるような切り欠き部３０…と、さらには、この保護部材２８の他方の段１７の上面から所望深さの切り欠き部３２で所望数のＤＶＤケースＣが嵌め込み収納したことで、大切な思い出のあるアルバムＡ、Ａ…を収めると同時にそれに関連したビデオケースＢ、Ｂ…をも一緒に収め、さらに、時代や経済事情等でＤＶＤが主流になるのも近いので、ビデオに代えＤＶＤを所持するようになっても、そのＤＶＤケースをも収納可能としたのである。
【図面の簡単な説明】
【００１５】
【図１】本発明のアルバムの全体図である。
【図２】図１の写真入れの要部の展開図である。
【図３】本発明の写真挿入順とアルバムにフレームを装着する要部の展開図である。
【図４】図３のＡ乃至Ｃの各実施例の要部の拡大図である。
【図５】本発明のアルバム等の収納ボックスの全体図である。
【図６】図５の保護部材の平面図である。
【図７】Ａ乃至Ｃはアルバム等を保護部材に収納する方法を示す例示図である。
【符号の説明】
【００１６】１、２３          表装紙              ２、２０          表紙
３、４            袋状紙              ５                凹部
６、１２          面ファスナー        ７                写真
８                フレーム            ９、１１          枠端面
１０              透明材              ２１、２２        折り目
２５              裏表紙              ２４              背表紙
２６              収納部              ２７、２９、３１  段付
２８              保護部材            ３０、３２        切り欠き部
【図１】
2005178343.tif 000003
【図２】
2005178343.tif 000004
【図３】
2005178343.tif 000005
【図４】
2005178343.tif 000006
【図５】
2005178343.tif 000007
【図６】
2005178343.tif 000008
【図７】
2005178343.tif 000009